(57)【要約】【課題】キャビネットが昇降しても、該キャビネットの見栄えが良好な衛生設備と、この衛生設備を設置した衛生設備室とを提供する。【解決手段】キャビネット１の外面は化粧板よりなる前面板６０、背面板６１、左右の側面板６２，６３及び上面板６４により構成されている。床板４に設けられた開口５内にベースフレーム１０が設置され、該ベースフレーム１０に設けられた受入部７０内に、前面板６０、背面板６１及び側面板６２，６３の下端側が、それぞれ上方から上下動可能に入り込んでいる。キャビネット１が上昇すると、その分だけ前面板６０、背面板６１及び側面板６２，６３が受入部７０内から床上側へ繰り出される。【選択図】図３
2007321504.tif 000002
【特許請求の範囲】
【請求項１】
衛生設備室内に設置される衛生設備であって、
少なくとも１つの側面の少なくとも下部が化粧板によって構成されたキャビネットと、
該キャビネットの該側面に取り付けられた衛生機器と、
該キャビネットを昇降させる昇降装置と
を備えた衛生設備において、
衛生設備室の床に埋設されるベースフレームを備えており、
該ベースフレームに、前記化粧板の受入部が設けられており、
該化粧板の下部が該受入部に対し上方から上下動可能に入り込んでいることを特徴とする衛生設備。
【請求項２】
請求項１において、該ベースフレームに、前記化粧板の下部の外面に対面する外面側垂下片と、該化粧板の下部の内面に対面する内面側垂下片とが設けられており、
該外面側垂下片と内面側垂下片との間が前記受入部となっていることを特徴とする衛生設備。
【請求項３】
請求項１又は２において、該ベースフレームは、衛生設備室の床下の根太の上面に重ね合わされるフランジを備えていることを特徴とする衛生設備。
【請求項４】
請求項１ないし３のいずれか１項において、該ベースフレームに前記昇降装置が設置されており、
該昇降装置によって昇降されるアッパーフレームが設けられ、前記化粧板は該アッパーフレームに取り付けられていることを特徴とする衛生設備。
【請求項５】
請求項１ないし４のいずれか１項において、前記昇降装置は、該ベースフレーム上に延設されたスライドレールと、
該スライドレールの上側に該スライドレールと平行に延設されており、両端側が該ベースフレームに対し回転可能に支持されたドライブシャフトと、
該ドライブシャフトの延在方向の一半側及び他半側の外周面にそれぞれ形成されており、互いに逆ねじの関係となっている第１雄ねじ部及び第２雄ねじ部と、
該第１雄ねじ部及び第２雄ねじ部にそれぞれ螺合しており、該ドライブシャフトが正転することにより互いに接近方向に螺進し、該ドライブシャフトが逆転することにより互いに離反方向に螺進する第１スライドブロック及び第２スライドブロックと、
該第１スライドブロック及び第２スライドブロックの上側に昇降可能に配置された昇降台と、
該第１スライドブロック及び第２スライドブロックと該昇降台とをそれぞれ連結しており、該第１スライドブロックと第２スライドブロックとが接近方向及び離反方向の一方へ移動することにより起立回動して該昇降台を上昇させ、該第１スライドブロックと第２スライドブロックとが接近方向及び離反方向の他方へ移動することにより倒伏回動して該昇降台を降下させる第１アーム及び第２アームと、
前記ドライブシャフトを正転又は逆転方向へ回転駆動する駆動装置と
を備えており、
該第１スライドブロック及び第２スライドブロックの下部は、それぞれ前記スライドレールにスライド可能に係合していることを特徴とする衛生設備。
【請求項６】
衛生設備室内にキャビネットが設置され、
該キャビネットの少なくとも１つの側面の少なくとも下部が化粧板によって構成され、
該キャビネットの該側面に衛生機器が取り付けられ、
該キャビネットを昇降させる昇降装置が設けられている衛生設備室において、
該衛生設備室の床に、前記化粧板の受入部が設けられており、該化粧板の下部が該受入部に対し上方から上下動可能に入り込んでいることを特徴とする衛生設備室。
【請求項７】
請求項６において、前記衛生設備室の床は、根太と、該根太上に設置された床板とを備えており、
該床板のうち前記キャビネットの設置域に開口が設けられ、
該開口の内縁に沿って延在する枠状のベースフレームが設置されており、
該ベースフレームに、前記化粧板の下部の外面に対面する外面側垂下片と、該化粧板の下部の内面に対面する内面側垂下片とが設けられており、
該外面側垂下片と内面側垂下片との間が前記受入部となっていることを特徴とする衛生設備室。
【請求項８】
請求項７において、前記ベースフレームは、前記根太の上面に重ね合わされたフランジを備えていることを特徴とする衛生設備室。
【発明の詳細な説明】
【技術分野】
【０００１】
本発明は、少なくとも１つの側面の少なくとも下部が化粧板にて構成され、この側面に衛生機器が取り付けられるキャビネットを昇降装置により昇降可能とした衛生設備と、この衛生設備を設置した衛生設備室に関する。
【背景技術】
【０００２】
衛生機器取り付け用のキャビネットを昇降装置により昇降可能とした衛生設備を、衛生設備室内に設置することは公知である。
【０００３】
特開平１１−７１８０４号公報には、トイレルーム内に、キャビネットを構成するケースを昇降可能に設置し、このケースの前面に洋風便器を取り付けた便器昇降ユニットが記載されている。同号公報では、該ケースは上ケースと下ケースとからなる。該下ケースは床上に固定設置されており、該上ケースが、該ケース内に配置された油圧シリンダの駆動力により昇降する。
【０００４】
該上ケースは、化粧板よりなる上面板、前面板及び左右の側面板を有する無底箱状のものである。下ケースは、該上ケースの底面開口から該上ケース内に入り込んでいる。この下ケースも、化粧板よりなる前面板及び左右の側面板を有しており、これらが該上ケースの前面板及び左右の側面板の内面（ケース内側の面）にそれぞれ対面している。なお、同号公報では、該上ケース及び下ケースはトイレルームの壁面に沿って配置され、これらの背面は該壁面によって閉鎖されている。
【０００５】
上ケースが下降限まで下降した状態において、下ケースのうち、該上ケースの内側に入り込んでいる部分の上下方向の幅員は、該上ケースが下降限から上昇限まで上昇したときの上下方向の移動距離よりも大となっている。
【０００６】
該上ケースが上昇した場合、該上ケースの下端は床から離隔するが、下ケースによって該上ケースの下端と床との間の隙間が遮蔽される。これにより、上ケースが上昇しても、ケース内部構造が該ケース外部に露出することが防止される。
【０００７】
同号公報の便器昇降ユニットにあっては、便器使用者が洋風便器に腰掛ける際、及び洋風便器から立ち上がる際に、上ケースを上昇させて洋風便器を持ち上げる。これにより、便器使用者の足腰に掛かる負荷が軽減され、該便器使用者が足腰の弱い人であっても、楽に洋風便器に腰掛けたり洋風便器から立ち上がったりすることができる。
【特許文献１】特開平１１−７１８０４号公報
【発明の開示】
【発明が解決しようとする課題】
【０００８】
上記特開平１１−７１８０４号公報の便器昇降ユニットにあっては、上ケースが上昇した場合には、該上ケースの外面と下ケースの外面との間には段差が生じると共に、この段差が上ケースの昇降に伴って上下に移動するので、見栄えが悪い。
【０００９】
本発明は、キャビネットが昇降しても、該キャビネットの見栄えが良好な衛生設備と、この衛生設備を設置した衛生設備室とを提供することを目的とする。
【課題を解決するための手段】
【００１０】
本発明（請求項１）の衛生設備は、衛生設備室内に設置される衛生設備であって、少なくとも１つの側面の少なくとも下部が化粧板によって構成されたキャビネットと、該キャビネットの該側面に取り付けられた衛生機器と、該キャビネットを昇降させる昇降装置と
を備えた衛生設備において、衛生設備室の床に埋設されるベースフレームを備えており、該ベースフレームに、前記化粧板の受入部が設けられており、該化粧板の下部が該受入部に対し上方から上下動可能に入り込んでいることを特徴とするものである。
【００１１】
請求項２の衛生設備は、請求項１において、該ベースフレームに、前記化粧板の下部の外面に対面する外面側垂下片と、該化粧板の下部の内面に対面する内面側垂下片とが設けられており、該外面側垂下片と内面側垂下片との間が前記受入部となっていることを特徴とするものである。
【００１２】
請求項３の衛生設備は、請求項１又は２において、該ベースフレームは、衛生設備室の床下の根太の上面に重ね合わされるフランジを備えていることを特徴とするものである。
【００１３】
請求項４の衛生設備は、請求項１ないし３のいずれか１項において、該ベースフレームに前記昇降装置が設置されており、該昇降装置によって昇降されるアッパーフレームが設けられ、前記化粧板は該アッパーフレームに取り付けられていることを特徴とするものである。
【００１４】
請求項５の衛生設備は、請求項１ないし４のいずれか１項において、前記昇降装置は、該ベースフレーム上に延設されたスライドレールと、該スライドレールの上側に該スライドレールと平行に延設されており、両端側が該ベースフレームに対し回転可能に支持されたドライブシャフトと、該ドライブシャフトの延在方向の一半側及び他半側の外周面にそれぞれ形成されており、互いに逆ねじの関係となっている第１雄ねじ部及び第２雄ねじ部と、該第１雄ねじ部及び第２雄ねじ部にそれぞれ螺合しており、該ドライブシャフトが正転することにより互いに接近方向に螺進し、該ドライブシャフトが逆転することにより互いに離反方向に螺進する第１スライドブロック及び第２スライドブロックと、該第１スライドブロック及び第２スライドブロックの上側に昇降可能に配置された昇降台と、該第１スライドブロック及び第２スライドブロックと該昇降台とをそれぞれ連結しており、該第１スライドブロックと第２スライドブロックとが接近方向及び離反方向の一方へ移動することにより起立回動して該昇降台を上昇させ、該第１スライドブロックと第２スライドブロックとが接近方向及び離反方向の他方へ移動することにより倒伏回動して該昇降台を降下させる第１アーム及び第２アームと、前記ドライブシャフトを正転又は逆転方向へ回転駆動する駆動装置とを備えており、該第１スライドブロック及び第２スライドブロックの下部は、それぞれ前記スライドレールにスライド可能に係合していることを特徴とするものである。
【００１５】
本発明（請求項６）の衛生設備室は、衛生設備室内にキャビネットが設置され、該キャビネットの少なくとも１つの側面の少なくとも下部が化粧板によって構成され、該キャビネットの該側面に衛生機器が取り付けられ、該キャビネットを昇降させる昇降装置が設けられている衛生設備室において、該衛生設備室の床に、前記化粧板の受入部が設けられており、該化粧板の下部が該受入部に対し上方から上下動可能に入り込んでいることを特徴とするものである。
【００１６】
請求項７の衛生設備室は、請求項６において、前記衛生設備室の床は、根太と、該根太上に設置された床板とを備えており、該床板のうち前記キャビネットの設置域に開口が設けられ、該開口の内縁に沿って延在する枠状のベースフレームが設置されており、該ベースフレームに、前記化粧板の下部の外面に対面する外面側垂下片と、該化粧板の下部の内面に対面する内面側垂下片とが設けられており、該外面側垂下片と内面側垂下片との間が前記受入部となっていることを特徴とするものである。
【００１７】
請求項８の衛生設備室は、請求項７において、前記ベースフレームは、前記根太の上面に重ね合わされたフランジを備えていることを特徴とするものである。
【発明の効果】
【００１８】
本発明（請求項１，６）の衛生設備及び衛生設備室にあっては、キャビネットの衛生機器取り付け面の下部の化粧板が、衛生設備室の床に埋設されるベースフレームに設けられた受入部、又は該衛生設備室の床に設けられた受入部に対し上方から上下動可能に入り込んでおり、キャビネットが上昇した場合には、その分だけ化粧板がこの受入部から床上側に繰り出される。そのため、キャビネットが上昇しても、化粧板が床から離隔せず、キャビネットの下部の外面に段差や隙間が生じない。これにより、キャビネットが昇降しても該キャビネットの見栄えを良好に保つことができる。
【００１９】
請求項２，７の態様にあっては、受入部を構成する、ベースフレームの外面側垂下片と内面側垂下片とによって化粧板の下部が内外両側から拘束されているため、化粧板は、押されたり引かれたりしても変形しにくく、この化粧板と、受入部や床の開口の縁部との間に隙間が生じることが防止される。
【００２０】
請求項３，８のように、ベースフレームに、側外方へ張り出すフランジを設け、このフランジを根太の上面に重ね合わせることにより、該ベースフレームの床への設置を強固なものとすることができる。また、このようにベースフレームにフランジを設けることにより、ベースフレーム自体の剛性を高めることもできる。
【００２１】
請求項４のように、このベースフレームに昇降装置を設置すると共に、この昇降装置によって昇降されるアッパーフレームを設け、このアッパーフレームに化粧板を取り付けてキャビネットを構成するようにした場合には、予めベースフレーム上に昇降装置及びアッパーフレームを組み付けてこれらユニット化しておくことにより、該ベースフレームを床に設置することでこれら全体の据え付けを行うことができるため、キャビネットの設置施工作業を容易にすることができる。
【００２２】
本発明においては、請求項５のような構成の昇降装置を用いることができるが、これに限定されるものではない。
【００２３】
なお、請求項５の昇降装置にあっては、第１及び第２スライドブロックが、それぞれ、ベースフレーム上に設けられたスライドレールによって下から支持されている。このため、昇降台から各アームを介してこれらのスライドブロックに掛かる荷重によってドライブシャフトが曲がったり折れたりすることが防止される。
【発明を実施するための最良の形態】
【００２４】
以下に、図面を参照して本発明の実施の形態について説明する。
【００２５】
第１図は実施の形態に係る衛生設備室としてのトイレルームのキャビネット付近の斜視図、第２図及び第３図は第１図のII−II線に沿う部分の断面図、第４図はベースフレーム、昇降装置及びベースフレームの斜視図、第５図及び第６図はベースフレーム及び昇降装置の斜視図である。なお、第１，２，４，５図はキャビネット下降時を示し、第３，６図はキャビネット上昇時を示している。
【００２６】
この実施の形態では、衛生設備室はトイレルームである。このトイレルーム内に、衛生設備を構成する、衛生機器取り付け用のキャビネット１が昇降可能に設置され、このキャビネット１の１つの側面（この実施の形態では前面）に、衛生機器としての洋風便器２が取り付けられている。以下の説明において、前後左右とは、この洋風便器２に着座した便器使用者にとっての前後左右である。
【００２７】
第１図に示すように、トイレルームの床は、水平に延設された複数の根太３と、該根太３上に敷設された床板４とにより構成されている。この床板４のうち、キャビネット１の設置領域には、該キャビネット１の下部を受け入れる開口５が設けられている。なお、図示の通り、この実施の形態ではキャビネット１は直方体形状のものであり、開口５は、このキャビネット１の水平断面形状と相似形状で且つ該キャビネット１の通過を許容する大きさの方形開口となっている。
【００２８】
この実施の形態では、該開口５の前縁及び後縁に沿って、該開口５を挟むように１対の根太３，３が配設されている。
【００２９】
衛生設備は、キャビネット１と、該開口５内に設置されたベースフレーム１０と、該ベースフレーム１０上に設置された昇降装置３０と、該昇降装置３０上に載設され、該昇降装置３０によって昇降されるアッパーフレーム５０と、該アッパーフレーム５０の外面を覆う化粧板（後述の前面板６０、背面板６１、左右の側面板６２，６３及び上面板６４）と、該ベースフレーム１０に設けられた、該化粧板（前面板６０、背面板６１及び側面板６２，６３）の受入部７０等を備えている。
【００３０】
アッパーフレーム５０は、開口５よりも一回り小さい方形枠状の底枠部５１と、該底枠部５１の四隅からそれぞれ垂直に立設されたピラー部５２と、該ピラー部５２の上端部同士を連結した上枠部（図示略）とを有する直方体形状のものである。このアッパーフレーム５０の前面、背面、左右の側面及び上面に、それぞれ、化粧板よりなる前面板６０、背面板６１、側面板６２，６３及び上面板６４が取り付けられている。これらの化粧板６０〜６４により、キャビネット１の全体の外面が構成されている。
【００３１】
該前面板６０、背面板６１及び左右の側面板６２，６３の上下方向の長さは、いずれもアッパーフレーム５０の高さよりも大となっており、第２，３図に示すように、各々の下端側は、底枠部５１よりも所定距離下方にまで延在している。
【００３２】
なお、この実施の形態では、該アッパーフレーム５０の前面側の左右のピラー部５２にそれぞれ便器取り付け片５２ａが設けられており、この便器取り付け片５２ａに対し、洋風便器２がボルト（図示略）等の固定具により固定されている。この実施の形態では、該洋風便器２はいわゆる壁掛けタイプのものであり、第２図の如く、キャビネット１（アッパーフレーム５０）が下降限まで下降した状態においても、トイレルームの床面から若干上方へ浮いた状態でキャビネット１の前面から前方へ張り出すように、該便器取り付け片５２ａに取り付けられている。
【００３３】
詳しい図示は省略するが、このアッパーフレーム５０の上部には、便器洗浄、お尻洗浄等に用いられる水や温水を貯留するためのタンクが収容されている。また、このアッパーフレーム５０内には、該タンクへの給水管や給湯管、該タンクから洋風便器２への給水管、該洋風便器２からの排水管、該排水管内が負圧になることを防止するための負圧破壊装置、オーバーフロー管等が配設されている。
【００３４】
該タンクへの給水管や洋風便器２からの排水管、オーバーフロー管等の配管は、キャビネット１が昇降したときに、この昇降に追従して屈曲したり、伸縮するなどして給排水を持続しうるよう構成されている。
【００３５】
底枠部５１の左右の前後方向延在部５１ａには、それぞれ、このアッパーフレーム５０を後述の各昇降装置３０の昇降台３７に固定するためのボルト５４が挿通されるボルト挿通孔５１ｂが設けられている。なお、第４図に示すように、この実施の形態では、各前後方向延在部５１ａに、該前後方向に間隔をおいて２個のボルト挿通孔５１ｂが設けられているが、ボルト挿通孔５１ｂの個数及び配置はこれに限定されない。
【００３６】
前記ベースフレーム１０は、開口５の内縁に沿って延在する方形枠状のものであり、このベースフレーム１０の内側に、アッパーフレーム５０の底枠部５１から下方へはみ出した前面板６０、背面板６１及び側面板６２，６３の下端側が配置されている。
【００３７】
この実施の形態では、該ベースフレーム１０は、これらの前面板６０、背面板６１及び側面板６２，６３の下部の外面（キャビネット１の外側を向く面）にそれぞれ対面する外面側垂下片１１と、該前面板６０、背面板６１及び側面板６２，６３の下部の内面（キャビネット１の内側を向く面）にそれぞれ対面する内面側垂下片１２と、該外面側垂下片１１及び内面側垂下片１２の下端部同士を繋ぐ底板部１３と、該外面側垂下片１１の上端縁から側外方に張り出すフランジ１４と、前記昇降装置３０が設置される昇降装置設置部１５等を備えている。
【００３８】
この実施の形態では、該外面側垂下片１１と内面側垂下片１２との間が前記受入部７０となっており、これらの間に、前面板６０、背面板６１及び側面板６２，６３の下端側がそれぞれ上方から上下動可能に入り込んでいる。
【００３９】
なお、キャビネット１が下降限まで下降した状態において、該前面板６０、背面板６１及び側面板６２，６３のうち、この受入部７０内に入り込んでいる部分の上下方向の長さは、いずれも、該キャビネット１が下降限から上昇限まで上昇したときの上下方向の移動距離よりも大となるように設定されている。
【００４０】
このベースフレーム１０は、開口５の両側の根太３，３間に配置され、フランジ１４がこれらの根太３上に重ね合わされてボルト（図示略）等の固定具により固定されている。
【００４１】
このベースフレーム１０の上面のうち内面側垂下片１２よりも内側の部分が昇降装置設置部１５となっている。この実施の形態では、２機の昇降装置３０がこの昇降装置設置部１５の左半側と右半側とに並列に設置されている。また、この実施の形態では、前面板６０と後面板６１とに対面する前後の内面側垂下片１２の上端側をそれぞれ上方へ延長するようにして、後述する各昇降装置３０のドライブシャフト３２の両端側を回転可能に支持するための軸受部１６が形成されている。
【００４２】
各昇降装置３０は、該昇降装置設置部１５の上面に沿って前後方向に略水平に延設されたスライドレール３１と、該スライドレール３１の上方に該スライドレール３１と平行に延設され、両端側がそれぞれ前記軸受部１６に回転可能に支持されたドライブシャフト３２と、該ドライブシャフト３２の延在方向の一半側及び他半側の外周面にそれぞれ形成された第１雄ねじ部３３及び第２雄ねじ部３４と、該第１雄ねじ部３３及び第２雄ねじ部３４にそれぞれ螺合した第１スライドブロック３５及び第２スライドブロック３６と、該第１スライドブロック３５及び第２スライドブロック３６の上方に昇降可能に配置された昇降台３７と、該第１スライドブロック３５及び第２スライドブロック３６と該昇降台３７とをそれぞれ連結した第１アーム３８及び第２アーム３９等を備えている。
【００４３】
該第１スライドブロック３５及び第２スライドブロック３６は、それぞれ、下部がスライドレール３１に対しスライド可能に係合している。
【００４４】
該第１雄ねじ部３３と第２雄ねじ部３４とは互いに逆ねじの関係となっている。そのため、ドライブシャフト３２が回転すると、該第１雄ねじ部３３に螺合した第１スライドブロック３５と、第２雄ねじ部３６に螺合した第２スライドブロック３６とは、互いに反対方向（互いに接近する方向又は互いに離反する方向）へ向って螺進することとなる。以下、第１スライドブロック３５と第２スライドブロック３６とを接近させる方向にドライブシャフト３２が回転することを、ドライブシャフト３２が正転するといい、第１スライドブロック３５と第２スライドブロック３６とを離反させる方向にドライブシャフト３２が回転することを、ドライブシャフト３２が逆転するという。
【００４５】
第１アーム３８及び第２アーム３９は、それぞれ、一端側がヒンジ（符号略）を介して該第１スライドブロック又は第２スライドブロック３６に回動可能に連結され、他端側が、ヒンジ（符号略）を介して昇降台３７に回動可能に連結されている。この実施の形態では、第１スライドブロック３５と第２スライドブロック３６とが接近した位置から離反方向へ移動すると、該第１アーム３８と第２アーム３９とが起立回動して昇降台３７を上昇させ、第１スライドブロック３５と第２スライドブロック３６とが離反した位置から接近方向へ移動すると、該第１アーム３８と第２アーム３９とが倒伏回動して昇降台３７を降下させる。
【００４６】
第４図の通り、前記アッパーフレーム５０は、左右の各昇降装置３０の昇降台３７に跨って設置され、前記ボルト挿通孔５１ｂを介して固定ボルト５４によりこれらの昇降台３７に固定されている。
【００４７】
この実施の形態では、左右の昇降装置３０，３０同士が共通のモータ４０により連動して昇降動作するよう構成されている。詳しくは、第５，６図の通り、各昇降装置３０のドライブシャフト３２の一端側にそれぞれ従動ギヤ４１が設けられると共に、該モータ４０の駆動軸（図示略）にはギヤボックス４２を介して主動ギヤ４３が連結されており、該主動ギヤ４３が左右の各昇降装置３０の従動ギヤ４１，４１間に配置され、これらに無端ベルト４４が巻回されている。
【００４８】
モータ４０が起動すると、主動ギヤ４３が回転し、無端ベルト４４及び各従動ギヤ４１を介して左右の各昇降装置３０のドライブシャフト３２が同一方向へ同一速度にて回転（正転又は逆転）駆動される。これにより、左右の昇降装置３０が連動して同期的に昇降動作する。
【００４９】
なお、このモータ４０による各ドライブシャフト３２の正転又は逆転駆動は、リモコン（図示略）のスイッチ操作に基づき、制御回路（図示略）により制御される。
【００５０】
この昇降装置３０にあっては、各スライドブロック３５，３６が、それぞれ、ベースフレーム１０上に設けられたスライドレール３１によって下から支持されているため、昇降台３７から各アーム３８，３９を介して各スライドブロック３５，３６に掛かる荷重によりドライブシャフト３２が曲がったり折れたりすることが防止される。
【００５１】
かかる構成の洋風便器２付きキャビネット１を備えた衛生設備の使用方法は、前述の従来例と同様である。即ち、便器使用者が洋風便器２に腰掛ける際、及び洋風便器２から立ち上がる際に、前記リモコン操作によりキャビネット１を上昇させて洋風便器２を持ち上げる。これにより、便器使用者の足腰に掛かる負荷が軽減され、該便器使用者が足腰の弱い人であっても、楽に洋風便器２に腰掛けたり洋風便器２から立ち上がったりすることができる。
【００５２】
この衛生設備にあっては、該キャビネット１の外面を構成する前面板６０、背面板６１及び側面板６２，６３の下端側が、それぞれ、床下に設置されたベースフレーム１０の受入部７０に対し上方から上下動可能に入り込んでおり、キャビネット１が上昇した場合には、その分だけこれらの前面板６０、背面板６１及び側面板６２，６３が該受入部７０から床上側に繰り出される。そのため、キャビネット１が上昇しても、該前面板６０、背面板６１及び側面板６２，６３が床から離隔せず、キャビネット１の下部の外観は、該キャビネット１が下降限まで下降している状態のときと実質的に変わらない。これにより、キャビネット１が昇降しても該キャビネット１の見栄えが良好である。
【００５３】
この実施の形態では、該受入部７０を構成するベースフレーム１０の外面側垂下片１１と内面側垂下片１２とにより、該前面板６０、背面板６１及び側面板６２，６３の下端側がそれぞれキャビネット１の内外両側から拘束されているため、該前面板６０、背面板６１及び側面板６２，６３は、押されたり引かれたりしても変形しにくく、これらの外面と床の開口５との間に隙間が生じることが防止される。
【００５４】
この実施の形態では、ベースフレーム１０から側外方にフランジ１４が突設され、このフランジ１４を根太３の上面に重ね合わせているため、該ベースフレーム１０の床への設置が強固である。また、このようにベースフレーム１０にフランジ１４を設けたことにより、ベースフレーム１０自体の剛性も高い。
【００５５】
上記実施の形態は本発明の一例であり、本発明は上記実施の形態に限定されるものではない。
【００５６】
例えば、上記実施の形態では、衛生設備室はトイレルームであるが、本発明は、これ以外の衛生設備室（例えば洗面室やシャワールームなど）にも適用可能である。即ち、上記の実施の形態では、衛生機器として洋風便器２をキャビネット１に取り付けているが、本発明においては、洋風便器以外の衛生機器、例えば手洗い装置やシャワー装置等がキャビネット１に設けられてもよい。また、複数の衛生機器（同一種類であってもよく、異なる種類であってもよい。）がキャビネット１に取り付けられてもよい。
【００５７】
キャビネット１の前面だけでなく、左右の側面や後面にも衛生機器を取り付けることができる。
【００５８】
キャビネットの形状は、直方体状以外の形状（例えば円柱状など）とすることも可能である。
【図面の簡単な説明】
【００５９】
【図１】実施の形態に係る衛生設備室としてのトイレルームのキャビネット付近の斜視図である。
【図２】キャビネット下降時を示す、図１のII−II線に沿う断面図である。
【図３】キャビネット上昇時を示す、図２と同一部分の断面図である。
【図４】ベースフレーム、昇降装置及びベースフレームの斜視図である。
【図５】キャビネット下降時におけるベースフレーム及び昇降装置の斜視図である。
【図６】キャビネット上昇時におけるベースフレーム及び昇降装置の斜視図である。
【符号の説明】
【００６０】
１  キャビネット
２  洋風便器
３  根太
４  床板
５  開口
１０  ベースフレーム
１１  外面側垂下片
１２  内面側垂下片
１４  フランジ
３０  昇降装置
３１  スライドレール
３２  ドライブシャフト
３３，３４  第１及び第２雄ねじ部
３５，３６  第１及び第２スライドブロック
３７  昇降台
３８，３９  第１及び第２アーム
４０  モータ
５０  アッパーフレーム
６０〜６４  化粧板（前面板、背面板、左右の側面板及び上面板）
７０  受入部
【図１】
2007321504.tif 000003
【図２】
2007321504.tif 000004
【図３】
2007321504.tif 000005
【図４】
2007321504.tif 000006
【図５】
2007321504.tif 000007
【図６】
2007321504.tif 000008